(57)【要約】【課題】家族が家庭内で使用するホームネットワークにおいて、単にオフィスのネットワークをスケールダウンしただけのものではなく、家族のプライバシーや家族同士で互いを気遣うメンタルな機構を備えることを目的とする。【解決手段】ホームネットワーク上にあるホームサーバに家族それぞれのプロファイルを持たせ、普段使用するプリンタや生年月日、好みの色などの個人情報を記録する。ホームネットワーク上のデバイスから印刷の指示が発せられると、ホームサーバは印刷コマンドに付加されて来たユーザＩＤから印刷指示者のプロファイルを検索し、それをプリンタに転送する。プロファイルを受信したプリンタはその情報を基に印刷を行う。【選択図】        図１
2004342023.tif 000002
【特許請求の範囲】
【請求項１】
ホームサーバやホームゲートウェイと呼ばれる家庭内ネットワークの基幹装置を中心に構成され、プリンタやセットトップボックス（ＳＴＢ）、ＰＣ、ＦＡＸ、携帯電話、デジタルテレビ、家電等の各種デバイスが接続されて相互に通信可能なホームネットワーク上で、
ホームネットワークを使用するユーザ（一般的に父、母、子供といった家族メンバー）毎にプロファイルを用意する手段と、プロファイル中には生年月日、性別、血液型、趣味、普段使用するプリンタの種類、好みの色や模様、等の各個人に帰属する情報を管理、記録する手段と、ホームネットワーク上に接続される或るデバイス（例えば父のノートＰＣ）からプリンタに対して印刷指示が発せられた場合、その印刷指示がどのユーザから発せられたかを示すＩＤを印刷コマンドに付加する手段と、その付加されたＩＤをインデックスとして印刷指示を発したユーザのプロファイルを検索する手段と、検索されたプロファイル情報の中から「普段使用するプリンタの種類」に関する情報を取り出す手段と、取り出された「普段使用するプリンタの種類」に合致するプリンタをホームネットワーク上から探し出す手段と、探し出されたプリンタに先に検索されたプロファイル情報を転送する手段と、ユーザが発した印刷コマンドもプリンタに転送される手段を有することを特徴としたホームネットワーク装置。
【請求項２】
請求項１のホームネットワーク装置において、印刷指示が与えられたプリンタは転送されたプロファイル情報を参照して好みの色や模様情報を取り出す手段と、取り出した好みの色や模様情報に従って印刷する用紙の背景パターンを生成する手段と、生成された背景パターンを印刷コマンドに基づいて印刷する印刷コンテンツの下地として印刷する手段を有することを特徴としたホームネットワーク装置。
【請求項３】
請求項１のホームネットワーク装置において、印刷指示を発したユーザを示すＩＤの代わりにその印刷物を与えたいユーザのＩＤを印刷コマンドに付加する手段を有し、自分で印刷指示を発した印刷物ではなくとも家族の誰かが自分に宛てて印刷してくれたことを識別する手段を有することを特徴としたホームネットワーク装置。
【請求項４】
請求項１のホームネットワーク装置において、前記請求項１で動作指示を発したユーザを特定できなかった場合には、不特定のユーザに適用するデフォルトのプロファイルを使用する手段を有することを特徴としたホームネットワーク装置。
【請求項５】
請求項１のホームネットワーク装置において、印刷指示が与えられたプリンタは転送されたプロファイル情報を参照して生年月日情報を取り出す手段と、取り出した生年月日情報と現在日付を比較する手段と、比較した結果その日が誕生日であった場合には予めプリンタに登録されたＨａｐｐｙ  Ｂｉｒｔｈｄａｙメッセージを印刷コンテンツの邪魔とならない程度の領域に印刷する手段を有することを特徴としたホームネットワーク装置。
【請求項６】
ホームサーバやホームゲートウェイと呼ばれる家庭内ネットワークの基幹装置を中心に構成され、プリンタやセットトップボックス（ＳＴＢ）、ＰＣ、ＦＡＸ、携帯電話、デジタルテレビ、家電等の各種デバイスが接続されて相互に通信可能なホームネットワーク上で、
ホームネットワークを使用するユーザ（一般的に父、母、子供といった家族メンバー）毎にプロファイルを用意する手段と、プロファイル中には生年月日、性別、血液型、趣味、普段使用するプリンタの種類、好みの色や模様、等の各個人に帰属する情報を管理、記録する手段と、ホームネットワーク上に接続される或るデバイス（例えば父のノートＰＣ）からプリンタに対して印刷指示が発せられた場合、その印刷指示がどのユーザから発せられたかを示すＩＤを印刷コマンドに付加する手段と、その付加されたＩＤをインデックスとして印刷指示を発したユーザのプロファイルを検索する手段と、検索されたプロファイル情報の中から「普段使用するプリンタの種類」に関する情報を取り出す手段と、取り出された「普段使用するプリンタの種類」に合致するプリンタをホームネットワーク上から探し出す手段と、探し出されたプリンタに先に検索されたプロファイル情報を転送する手段と、ユーザが発した印刷コマンドもプリンタに転送される手段を有することを特徴とした印刷制御装置。
【請求項７】
請求項６の印刷制御装置において、印刷指示が与えられたプリンタは転送されたプロファイル情報を参照して好みの色や模様情報を取り出す手段と、取り出した好みの色や模様情報に従って印刷する用紙の背景パターンを生成する手段と、生成された背景パターンを印刷コマンドに基づいて印刷する印刷コンテンツの下地として印刷する手段を有することを特徴とした印刷制御装置。
【請求項８】
請求項６の印刷制御装置において、印刷指示を発したユーザを示すＩＤの代わりにその印刷物を与えたいユーザのＩＤを印刷コマンドに付加する手段を有し、自分で印刷指示を発した印刷物ではなくとも家族の誰かが自分に宛てて印刷してくれたことを識別する手段を有することを特徴とした印刷制御装置。
【請求項９】
請求項６の印刷制御装置において、前記請求項６で動作指示を発したユーザを特定できなかった場合には、不特定のユーザに適用するデフォルトのプロファイルを使用する手段を有することを特徴とした印刷制御装置。
【請求項１０】
請求項６の印刷制御装置において、印刷指示が与えられたプリンタは転送されたプロファイル情報を参照して生年月日情報を取り出す手段と、取り出した生年月日情報と現在日付を比較する手段と、比較した結果その日が誕生日であった場合には予めプリンタに登録されたＨａｐｐｙ  Ｂｉｒｔｈｄａｙメッセージを印刷コンテンツの邪魔とならない程度の領域に印刷する手段を有することを特徴とした印刷制御装置。
【発明の詳細な説明】
【０００１】
【発明の属する技術分野】
本発明はホームサーバやホームゲートウェイと呼ばれる家庭内ネットワークの基幹装置を中心に構成されて、プリンタやセットトップボックス（ＳＴＢ）、ＰＣ、ＦＡＸ、携帯電話、デジタルテレビ、家電等の各種デバイスが接続されて相互に通信可能なホームネットワーク装置および印刷制御装置に関する。
【０００２】
【従来の技術】
従来、家庭内でホームサーバやホームゲートウェイを基幹装置として中心に構成されていたホームネットワークは、家族個人それぞれが所有するＰＣのような個人所有しがちなデバイスと家族皆で共有するプリンタのような共有デバイスがネットワーク接続されていることが一般的であった。また、各部屋に配置された個人個人のＰＣでインターネットやｅメールを送受信するために通常家庭に一つ用意される電話回線を、ルーターと呼ばれるホームゲートウェイを介して共有して、これを通じて公衆のインターネット網にアクセスするために使用されるのが一般的であった。またこうしたホームネットワークはビジネスオフィスで一般的に普及しているオフィスネットワークを単にスケールダウンしたものが多かった。
【０００３】
【特許文献１】
特開２００１−１０９６９２号公報
【特許文献２】
特開２００１−１１７７３２号公報
【０００４】
【発明が解決しようとする課題】
このようにオフィスネットワークを単にスケールダウンしただけのホームネットワークでは、例えばホームネットワークを介して父のノートＰＣからｗｅｂ画面をプリンタで印刷する場合、父が普段使用するプリンタは何であるかとか、プリンタは父の生年月日がいつであるとか、好きな色や模様は何であるとか、趣味は何であるかといった父個人に帰属する情報を知る術は無く、ただ単にノートＰＣ上に表示されているｗｅｂ画面を指示された通りに印刷するというオフィスでよく見かける利用形態であった。しかしながらオフィスのように仕事で利用するといった具合に使用目的がユーザ間で一致した環境でネットワークを使用するのと異なり、家族が使用するホームネットワークにはオフィスとは異なるプライバシーを保護する機構や逆に家族同士で互いを気遣うメンタルな機構が備えられていることが求められてきている。
【０００５】
例えば、ホームネットワーク上に複数台のプリンタが接続されていて、父が自分のＰＣからｗｅｂ画面を印刷したい場合に、家族誰でも使って良い共有プリンタが他者によって使用中でビジーの場合に、ビジーでないからといって娘の部屋に設置されている普段娘が自分の用途に主に使用しているプリンタに印刷出力してしまうことは物理的には可能だが、娘の心理的には好ましくないことが少なくない。また、実際に印刷物を娘の部屋に取りにいっても不在で鍵が掛かっていて取得できないなどの不便もある。
【０００６】
また例えば、ホームネットワーク上に設置されている家族の誰でもが使用できるプリンタの排紙トレイに除去されない印刷物がスタックされている場合に、その印刷物には印刷指示を発した人物を示す目印などは無いため、一体誰が印刷指示を発して印刷されたものか、またどこからどこまでが誰の印刷物であるかを第三者はもちろん本人でさえも判別し難いといった問題があった。
【０００７】
また例えば、自分自身の用途のために印刷しておきたいと感じて印刷する場面だけでなく、自分以外の家族のメンバーに対して印刷して渡したいコンテンツがあったとしても、排紙トレイにスタックされた印刷物からそれが誰に宛てた印刷物であるかを第三者もしくはそれを受け取るべき人物が判別することは難しい。
【０００８】
また例えば、印刷指示の発行者が家族の誰であるかを特定できない印刷指示を受けた場合に、不特定を示すデフォルトのユーザによる印刷物であることを示す手段は無かった。
【０００９】
また例えば、与えられた印刷指示に基づいて正確に印刷する機能を満たしていれば、それ以上に期待することはないオフィスでの印刷の定義と異なり、家庭内での印刷には与えられた印刷指示以上に楽しい要素、例えばそれが印刷指示を発行したユーザの誕生日のような特別な日に印刷されたことを示すものが印刷に含められているようなことは無かった。
【００１０】
本発明は、上述の問題点に着目してなされたものであって、家族が家庭内で使用するホームネットワークにおいて、単にオフィスのネットワークをスケールダウンしただけのものではなく、家族のプライバシーや家族同士で互いを気遣うメンタルな機構を備えることのできるホームネットワーク装置および印刷制御装置の提供を目的とする。
【００１１】
【課題を解決するための手段】
上記目的を達成するため、請求項１記載のホームネットワーク装置および請求項６記載の印刷制御装置は、
ホームサーバやホームゲートウェイと呼ばれる家庭内ネットワークの基幹装置を中心に構成され、プリンタやセットトップボックス（ＳＴＢ）、ＰＣ、ＦＡＸ、携帯電話、デジタルテレビ、家電等の各種デバイスが接続されて相互に通信可能なホームネットワーク上で、
ホームネットワークを使用するユーザ（一般的に父、母、子供といった家族メンバー）毎にプロファイルを用意する手段と、プロファイル中には生年月日、性別、血液型、趣味、普段使用するプリンタの種類、好みの色や模様、等の各個人に帰属する情報を管理、記録する手段と、ホームネットワーク上に接続される或るデバイス（例えば父のノートＰＣ）からプリンタに対して印刷指示が発せられた場合、その印刷指示がどのユーザから発せられたかを示すＩＤを印刷コマンドに付加する手段と、その付加されたＩＤをインデックスとして印刷指示を発したユーザのプロファイルを検索する手段と、検索されたプロファイル情報の中から「普段使用するプリンタの種類」に関する情報を取り出す手段と、取り出された「普段使用するプリンタの種類」に合致するプリンタをホームネットワーク上から探し出す手段と、探し出されたプリンタに先に検索されたプロファイル情報を転送する手段と、ユーザが発した印刷コマンドもプリンタに転送される手段を有することを特徴とする。
【００１２】
請求項２記載のホームネットワーク装置および請求項７記載の印刷制御装置は、請求項１のホームネットワーク装置および請求項６の印刷制御装置において、印刷指示が与えられたプリンタは転送されたプロファイル情報を参照して好みの色や模様情報を取り出す手段と、取り出した好みの色や模様情報に従って印刷する用紙の背景パターンを生成する手段と、生成された背景パターンを印刷コマンドに基づいて印刷する印刷コンテンツの下地として印刷する手段を有することを特徴とする。
【００１３】
請求項３記載のホームネットワーク装置および請求項８記載の印刷制御装置は、請求項１のホームネットワーク装置および請求項６の印刷制御装置において、印刷指示を発したユーザを示すＩＤの代わりにその印刷物を与えたいユーザのＩＤを印刷コマンドに付加する手段を有し、自分で印刷指示を発した印刷物ではなくとも家族の誰かが自分に宛てて印刷してくれたことを識別する手段を有することを特徴とする。
【００１４】
請求項４記載のホームネットワーク装置および請求項９記載の印刷制御装置は、請求項１のホームネットワーク装置および請求項６の印刷制御装置において、前記請求項１または請求項６で動作指示を発したユーザを特定できなかった場合には、不特定のユーザに適用するデフォルトのプロファイルを使用する手段を有することを特徴とする。
【００１５】
請求項５記載のホームネットワーク装置および請求項１０記載の印刷制御装置は、請求項１のホームネットワーク装置および請求項６の印刷制御装置において、印刷指示が与えられたプリンタは転送されたプロファイル情報を参照して生年月日情報を取り出す手段と、取り出した生年月日情報と現在日付を比較する手段と、比較した結果その日が誕生日であった場合には予めプリンタに登録されたＨａｐｐｙ  Ｂｉｒｔｈｄａｙメッセージを印刷コンテンツの邪魔とならない程度の領域に印刷する手段を有することを特徴とする。
【００１６】
【発明の実施の形態】
以下、図面を参照して本発明の実施例を詳細に説明する。
【００１７】
図１は本発明の一実施の形態を示す。これは、ホームネットワーク１を、公衆回線２を介してインターネット網３とを接続したシステムの例である。公衆回線２としては一般的なアナログ電話回線やＩＳＤＮ、ＤＳＬ、有線／無線を問わず特に何であっても構わない。
【００１８】
ホームネットワーク１はデジタルテレビ１０と、ＳＴＢ（セットトップボックス）１１と、ＰＣ１２と、ルーター１３と、ホームサーバ１４と、プリンタ１５をホームネットワークケーブル１６で接続されて構成されている。ホームネットワークケーブル１６もまた有線であっても無線であっても構わない。これらホームネットワーク１を構成するデバイスの数や種類は特に限定するものではない。
【００１９】
デジタルテレビ１０は単に受信映像を表示装置に表示するだけの従来型テレビではなく、Ｔコマースなどのテレビショッピングがオンラインで双方向通信を利用して行えるような装置である。ＳＴＢ１１はＰＣを使わずにインターネットブラウジングやｅメールを一般のテレビを表示装置として利用して行うための装置で、一般的にＰＣの扱いに不慣れだったり、抵抗を感じるユーザに使われることを想定したものである。ＰＣ１２はＳＴＢ１１同様にインターネットブラウジングやｅメールを行うための装置である。ルーター１３は家庭内に設置されたホームネットワーク１を家庭外のインターネット網３とを公衆回線２を介して橋渡しをするためのゲートウェイとして機能する装置である。ホームサーバ１４は前述したデジタルテレビ１０、ＳＴＢ１１やＰＣ１３からの印刷指示を一旦受けてその印刷指示を発したユーザを検出し、印刷コマンドと同様にそのユーザに用意されたプロファイルデータをプリンタ１５に転送する装置である。ホームサーバ１４は父プロファイル１４ａと、母プロファイル１４ｂと、長女プロファイル１４ｃと、プリンタ選択部１４ｄと、プロファイル転送処理部１４ｅと、プロファイル検索処理部１４ｆと、受信バッファ１４ｇから構成される。ここでは家族の構成を父、母、長女と例示したが、勿論これは家族の構成によって変化するものである。
【００２０】
プリンタ１５は印刷制御部１５ａと、プロファイル格納領域１５ｂと、印刷処理部１５ｃとから構成されて、ホームサーバ１４から転送されるプロファイル情報と印刷コマンドに従って印刷を行う装置である。
【００２１】
図２は父プロファイル１４ａの構成を示す一例である。ここで示すプロファイルは父の個人情報を記録、管理するために用いられ、母や長女のプロファイル１４Ｂ，１４ｃも同様な構成による。またこのプロファイルに記述される情報は以下に示す種類の情報に特に限定するものではないし、情報の個数も可変である。
【００２２】
父ユーザＩＤ１００は家族のメンバーそれぞれにユニークに割り振られたＩＤ番号である。生年月日１０１は父の生年月日情報を示す。性別１０２は父の性別を示す。血液型１０３は父の血液型を示す。普段使用するプリンタ１０４は父が普段から主に使用しているプリンタをホームネットワーク１上で認識できる名前を示す。例ではホームネットワーク１上でＣａｎｏｎ  ＢＪＣ−８００＠ＬｉｖｉｎｇＲｏｏｍと命名、認識されているプリンタを父が普段使用しているプリンタであることを示している。趣味１０５は父の主たる趣味を示している。好みの色１０６は父の好みの色を示す。好みの模様１０７は父の好みの模様を示す。
【００２３】
図３は父のＰＣから発せられた印刷コマンドとそれに付加されたユーザＩＤを示す図である。ユーザＩＤは印刷コマンドに付加されてその印刷指示が父から来たものであることを示す。この場合父のＰＣから発せられているが、このユーザＩＤはあくまで父に帰属しており、ＰＣに帰属しているものではない。従ってＳＴＢ１１からでもデジタルテレビ１０からでもユーザＩＤが指定できるならば印刷指示に父のユーザＩＤを付加すれば、それは父の印刷指示であることを示す。印刷コマンドはプリンタ１５が印刷に際して各種設定値を設定するするプリンタ初期設定コマンドや用紙のマージン設定コマンド、そして印刷データを含むコマンドなどから構成されている。
【００２４】
図４、図５、図６、図７、図８は図１のホームネットワーク１によって実行される本発明の実施形態を示すフローチャートである。
【００２５】
図４において、まずステップＳ１で父のＰＣ１２から印刷指示を発行する。するとステップＳ２で父のＰＣ１２は印刷を実行するために用意された印刷コマンドにそれが父からの印刷指示であることを示す父のユーザＩＤが付加され、そしてホームサーバ１４向けに発行される。ステップＳ３で、ユーザＩＤ付き印刷コマンドを受信バッファ１４ｇに受信したホームサーバ１４は、プロファイル検索処理部１４ｆを使ってユーザＩＤから父のプロファイル１４ａを検索し、取得する。ステップＳ４ではプリンタ選択部１４ｄが検索された父のプロファイル中から父が普段使用するプリンタ情報を取得する。プリンタ選択部１４ｄは次にステップＳ５でホームネットワーク１上で普段父が使用するプリンタ１５を検索する。ステップＳ６ではプロファイル転送処理部１４ｅが、検索されたホームネットワーク上の父が普段使用するプリンタ１５に向けて父のプロファイルデータ１４ａを転送する。転送された父のプロファイル１４ａはプロファイル格納領域１５ｂにストアされる。ステップＳ７では検索されたホームネットワーク１上の父が普段使用するプリンタ１５に向けてステップＳ２で発行された父のＰＣから発せられた印刷コマンドを転送する。プリンタ１５は受信した印刷コマンドに従って印刷制御部１５ａと印刷処理部１５ｃが印刷を実行する。
【００２６】
図５は、図４のステップＳ６でプリンタ１５に転送された父のプロファイル１４ａから、プリンタ１５が好みの色情報１０６と好みの模様情報１０７を取得して印刷に応用する実施形態を説明するものである。
【００２７】
ステップＳ１１で印刷制御部１５ａはプロファイル格納領域１５ｂにストアされている父のプロファイル１４ａから好みの色：ブルー、および好みの模様：マーブル模様を検索し、取得する。次にステップＳ１２では取得した好みの色情報と好みの模様情報から今回の父の印刷で使用する用紙の背景パターンを生成する。ステップＳ１３ではプリンタ１５は印刷コマンドを受信し、ステップＳ１４では、ステップ１２で生成した背景パターンとステップＳ１３で受信した印刷コマンドを合成しながら、背景パターンが印刷コマンドで印刷されるコンテンツにオーバーレイしないように印刷を開始する。
【００２８】
図６は、図４で説明した実施形態の応用であり、母が父のために印刷を実施する例を説明するものである。
【００２９】
図６において、まずステップＳ２１で母のＰＣから印刷指示を発行する。するとステップＳ２２で母のＰＣは印刷を実行するために用意された印刷コマンドにそれが父に向けた印刷を指示する父のユーザＩＤを付加してホームサーバ１４向けに発行される。ステップＳ２３で、ユーザＩＤ付き印刷コマンドを受信バッファ１４ｇに受信したホームサーバ１４は、プロファイル検索処理部１４ｆを使ってユーザＩＤから父のプロファイル１４ａを検索し、取得する。ステップＳ２４ではプリンタ選択部１４ｄが検索された父のプロファイル１４ａ中から父が普段使用するプリンタ情報を取得する。プリンタ選択部１４ｄは次にステップＳ２５でホームネットワーク１上で普段父が使用するプリンタ１５を検索する。ステップＳ２６ではプロファイル転送処理部１４ｅが、検索されたホームネットワーク１上の父が普段使用するプリンタ１５に向けて父のプロファイルデータ１４ａを転送する。転送された父のプロファイル１４ａはプロファイル格納領域１５ｂにストアされる。ステップＳ２７では検索されたホームネットワーク１上の父が普段使用するプリンタ１５に向けてステップＳ２２で発行された母のＰＣから発せられた印刷コマンドを転送する。プリンタ１５は受信した印刷コマンドに従って印刷制御部１５ａと印刷処理部１５ｃが印刷を実行する。
【００３０】
図７は、ユーザＩＤが付加されていない、もしくは誰から発せられた印刷指示であるか特定できないデフォルトユーザからの印刷実施形態について説明する。
【００３１】
ステップＳ３１でホームサーバ１４がユーザＩＤが付加されていない、もしくは特定できないユーザＩＤが付加された印刷指示を受信する。ステップＳ３２でホームサーバは印刷指示発信者に対応したプロファイルを取得できないためこれをデフォルトユーザからの印刷指示と判断し、デフォルトのプロファイルを取得する。デフォルトのプロファイルは図２で説明した父のプロファイル１４ａと同様の構成から成るものとする。ステップＳ３３でデフォルトプロファイル中からデフォルトユーザが普段使用するプリンタ情報を取得する。このデフォルトプロファイルに記述されているデフォルトユーザが普段使用するプリンタとは個人の使用に供することが多いプリンタを選ぶのではなく、家族での共有率が最も高いプリンタを予めデフォルトプロファイルに登録しておく。プリンタ選択部１４ｄは次にステップＳ３４で、ホームネットワーク１上でデフォルトプロファイルに記述されているデフォルトユーザが普段使用するプリンタを検索する。ステップＳ３５ではプロファイル転送処理部１４ｅが、検索されたホームネットワーク１上のデフォルトユーザが普段使用するプリンタに向けてデフォルトプロファイルデータを転送する。転送されたデフォルトプロファイルはプロファイル格納領域１５ｂにストアされる。ステップＳ３６では検索されたホームネットワーク１上のデフォルトユーザが普段使用するプリンタに向けて印刷コマンドが転送される。プリンタは受信した印刷コマンドに従って印刷制御部１５ａと印刷処理部１５ｃが印刷を実行する。
【００３２】
図８は、図４のステップＳ６でプリンタに転送された父のプロファイル１４ａから、プリンタが父の生年月日情報１０１を取得して印刷に応用する実施形態を説明するものである。
【００３３】
ステップＳ４１で印刷制御部１５ａはプロファイル格納領域１５ｂにストアされている父のプロファイル１４ａから生年月日：１９５８年４月１０日を検索し、取得する。次にステップＳ４２では今日の日付を取得する。このとき今日の日付はプリンタ自身が計時手段を持っても良いし、ホームネットワークを介して他の装置から知らされても構わない。ステップＳ４３でプリンタ１５は印刷コマンドを受信する。ステップＳ４４で父の生年月日の月日が今日の日付の月日と一致しているかどうか、すなわち今日が父の誕生日であるかどうかを判断する。一致していたならばステップＳ４５へ進み、一致していなければステップＳ４６へ進む。ステップＳ４５では予めプリンタに登録されたＨａｐｐｙ  Ｂｉｒｔｈｄａｙメッセージを印刷コンテンツの邪魔とならない程度の領域に印刷する。ステップＳ４６ではステップＳ４３で受信した印刷コマンドに従って印刷を開始する。
【００３４】
【発明の効果】
このようにオフィスネットワークを単にスケールダウンしただけのホームネットワークではなく、オフィスとは異なるプライバシーを保護する機構や逆に家族同士で互いを気遣うメンタルな機構が備えたホームネットワークを構築することができる。
【図面の簡単な説明】
【図１】本発明の一実施の形態を示すブロック図
【図２】図１の父のプロファイル１４ａにストアされる個人情報の例を示す図
【図３】印刷指示が誰宛てであるかを示すユーザＩＤが印刷コマンドに付加されている例を示す図
【図４】図１のホームサーバ１４の処理の流れを示すフローチャート
【図５】図１のプリンタ１５の一実施形態の処理の流れを示すフローチャート
【図６】図１のプリンタ１５の一実施形態の処理の流れを示すフローチャート
【図７】図１のプリンタ１５の一実施形態の処理の流れを示すフローチャート
【図８】図１のプリンタ１５の一実施形態の処理の流れを示すフローチャート
【符号の説明】
１  ホームネットワーク
２  公衆回線
３  インターネット網
１０  デジタルテレビ
１１  ＳＴＢ（セットトップボックス）
１２  ＰＣ
１３  ルーター
１４  ホームサーバ
１４ａ  父プロファイル
１４ｂ  母プロファイル
１４ｃ  長女プロファイル
１４ｄ  プリンタ選択部
１４ｅ  プロファイル転送処理部
１４ｆ  プロファイル検索処理部
１４ｇ  受信バッファ
１５  プリンタ
１５ａ  印刷制御部
１５ｂ  プロファイル格納領域
１５ｃ  印刷処理部
１６  ホームネットワークケーブル
【図１】
2004342023.tif 000003
【図２】
2004342023.tif 000004
【図３】
2004342023.tif 000005
【図４】
2004342023.tif 000006
【図５】
2004342023.tif 000007
【図６】
2004342023.tif 000008
【図７】
2004342023.tif 000009
【図８】
2004342023.tif 000010